(57)【特許請求の範囲】
【請求項１】
無線タグが付された管理対象物と、
この管理対象物を予め定められた収納数だけ収納する収納部と、
この収納部に収納された前記管理対象物に電波を放射して前記無線タグの情報を読取るリーダ・ライタ部と、
予め定められた収納数を読み込むカウンタを有し、前記リーダ・ライタ部により情報が読取られた前記無線タグを付した管理対象物の数量が前記予め定められた収納数に達したとき、前記リーダ・ライタ部の前記電波の放射を停止する電波制御部と、
を具備することを特徴とする無線タグ情報管理装置。
【請求項２】
前記電波制御部は、前記カウンタのカウンタ値が１以上と判定した場合には、前記リーダ・ライタ部により前記無線タグの情報が読取られ、さらに前記カウンタを１デクリメントし、このカウンタの判定に戻り、さらにこのカウンタ値がゼロと判定した場合には、前記リーダ・ライタ部の前記電波の放射を停止することを特徴とする請求項１記載の無線タグ情報管理装置。
【請求項３】
前記収納部は、管理対象の書類ファイルを出し入れ可能に収納する、予め定めた数量のファイル収納体を綴じ込んで収納するファイルバインダで構成されることを特徴とする請求項１または２記載の無線タグ情報管理装置。
【請求項４】
前記収納部は、管理対象の物品を出し入れ可能に収納する、予め定めた数量の小棚を集合組み立てた物品棚で構成されることを特徴とする請求項１または２記載の無線タグ情報管理装置。
【請求項５】
無線タグが付された管理対象物と、
この管理対象物を予め定められた収納数だけ収納する収納部と、
この収納部に収納された前記管理対象物に電波を放射して前記無線タグの情報を読取るリーダ・ライタ部と、
前記収納部への前記管理対象物の出し・入れを判別し、この出し・入れの判別による管理対象物の差分数を前記予め定められた収納数から減じた収納数を算出する出入り管理出力部と、
この出入り管理出力部から算出あるいは出力された前記収納数を読み込むカウンタを有し、前記リーダ・ライタ部により情報が読取られた前記無線タグを付した管理対象物の数量が、前記出入り管理出力部の算出した前記収納数に達したとき、前記リーダ・ライタ部の前記電波の放射を停止する電波制御部と、
を具備することを特徴とする無線タグ情報管理装置。
【請求項６】
無線タグが付された管理対象物と、
この管理対象物を予め定められた収納数だけ収納する収納部と、
この収納部に収納された前記管理対象物に電波を放射して前記無線タグの情報を読取るリーダ・ライタ部と、
前記収納部の前記管理対象物の数を適宜検数し、さらにこの収納部への前記管理対象物の出し・入れを判別し、前記収納部にある管理対象物の収納数を出力する出入り管理出力部と、
この出入り管理出力部から算出あるいは出力された前記収納数を読み込むカウンタを有し、前記リーダ・ライタ部により情報が読取られた前記無線タグを付した管理対象物の数量が、前記出入り管理出力部の出力する前記収納数に達したとき、前記リーダ・ライタ部の前記電波の放射を停止する電波制御部と、
を具備することを特徴とする無線タグ情報管理装置。
【請求項７】
前記電波制御部は、前記カウンタのカウンタ値が１以上と判定した場合には、前記リーダ・ライタ部により前記無線タグの情報が読取られ、さらに前記カウンタを１デクリメントし、このカウンタの判定に戻り、さらにこのカウンタ値がゼロと判定した場合には、前記リーダ・ライタ部の前記電波の放射を停止することを特徴とする請求項５または６記載の無線タグ情報管理装置。
【発明の詳細な説明】
【技術分野】
【０００１】
本発明は、無線タグと交信する情報管理装置のリーダ・ライタの電波放射の制御方法に関する。
【背景技術】
【０００２】
近年、固有のＩＤが設定されると共に、情報の書き換え可能なメモリエリアを有し、電波信号を利用して非接触で、固有のＩＤの識別や前記情報の書き込み及び読み取りができる無線データキャリアである無線タグが利用されている。
【０００３】
例えば、郵便物や配送物など物品にそれぞれ固有のＩＤを有する無線タグを貼着あるいは内蔵させて、これ等の移動中にその通過路の傍に設置したリーダ・ライタからの交信電波信号を送受信して、それぞれを識別したり、書類や書籍に貼着してその多数を保管する中に目的のものが存在するか否かを、同じく電波信号を送受信するリーダ・ライタにより検知したりする利用が行われる。
【０００４】
この交信電波信号を送受信する従来のリーダ・ライタは、一般的には、リーダ・ライタのアンテナから、交信エリア内に存在する無線タグを作動させる電力用電波及び交信する情報の信号電波が常に放出されているか、或いはシステム全体のホスト機器から設定された時間の間だけ電波を放出するかのいずれかで、交信のシステム処理が行われている。
【発明の開示】
【発明が解決しようとする課題】
【０００５】
上に述べた従来の無線タグの交信のシステム技術では、無線タグの存在の有無に関わらず、すなわち無線タグが存在しない場合においても、リーダ・ライタは設定した交信時間の間中は電波を放出し続けていることとなる。このような電波の放出は、電力の無駄な消費であり、問題があった。
【０００６】
本発明は上記の問題点に鑑みてなされたもので、無線タグの交信電波の無駄な放射を抑制し、電波放射を短時間に抑える無線タグ情報管理装置及びその電波放射方法を提供することを目的とする。
【課題を解決するための手段】
【０００７】
上記の目的を達成するために、本発明の無線タグ情報管理装置は、無線タグが付された管理対象物と、この管理対象物を予め定められた収納数だけ収納する収納部と、この収納部に収納された前記管理対象物に電波を放射して前記無線タグの情報を読取るリーダ・ライタ部と、予め定められた収納数を読み込むカウンタを有し、前記リーダ・ライタ部により情報が読取られた前記無線タグを付した管理対象物の数量が前記予め定められた収納数に達したとき、前記リーダ・ライタ部の前記電波の放射を停止する電波制御部とを具備することを特徴とするものである。
【０００８】
さらに、上記本発明の無線タグ情報管理装置においては、前記電波制御部は、前記カウンタのカウンタ値が１以上と判定した場合には、前記リーダ・ライタ部により前記無線タグの情報が読取られ、さらに前記カウンタを１デクリメントし、このカウンタの判定に戻り、さらにこのカウンタ値がゼロと判定した場合には、前記リーダ・ライタ部の前記電波の放射を停止することを特徴とするものである。
【０００９】
さらに、上記本発明の無線タグ情報管理装置においては、前記収納部が、管理対象の書類ファイルを出し入れ可能に収納する、予め定めた数量のファイル収納体を綴じ込んで収納するファイルバインダで構成されることを特徴とするものである。
【００１０】
さらに、上記本発明の無線タグ情報管理装置においては、前記収納部が、管理対象の物品を出し入れ可能に収納する、予め定めた数量の小棚を集合組み立てた物品棚で構成されることを特徴とするものである。
【００１１】
また、本発明の無線タグ情報管理装置は、無線タグが付された管理対象物と、  この管理対象物を予め定められた収納数だけ収納する収納部と、この収納部に収納された前記管理対象物に電波を放射して前記無線タグの情報を読取るリーダ・ライタ部と、前記収納部への前記管理対象物の出し・入れを判別し、この出し・入れの判別による管理対象物の差分数を前記予め定められた収納数から減じた収納数を算出する出入り管理出力部と、この出入り管理出力部から算出あるいは出力された前記収納数を読み込むカウンタを有し、前記リーダ・ライタ部により情報が読取られた前記無線タグを付した管理対象物の数量が、前記出入り管理出力部の算出した前記収納数に達したとき、前記リーダ・ライタ部の前記電波の放射を停止する電波制御部とを具備することを特徴とするものである。
【００１２】
また、本発明の無線タグ情報管理装置は、無線タグが付された管理対象物と、  この管理対象物を予め定められた収納数だけ収納する収納部と、この収納部に収納された前記管理対象物に電波を放射して前記無線タグの情報を読取るリーダ・ライタ部と、前記収納部の前記管理対象物の数を適宜検数し、さらにこの収納部への前記管理対象物の出し・入れを判別し、前記収納部にある管理対象物の収納数を出力する出入り管理出力部と、この出入り管理出力部から算出あるいは出力された前記収納数を読み込むカウンタを有し、前記リーダ・ライタ部により情報が読取られた前記無線タグを付した管理対象物の数量が、前記出入り管理出力部の出力する前記収納数に達したとき、前記リーダ・ライタ部の前記電波の放射を停止する電波制御部とを具備するものである。
【００１３】
さらに、上記本発明の無線タグ情報管理装置においては、前記電波制御部は、前記カウンタのカウンタ値が１以上と判定した場合には、前記リーダ・ライタ部により前記無線タグの情報が読取られ、さらに前記カウンタを１デクリメントし、このカウンタの判定に戻り、さらにこのカウンタ値がゼロと判定した場合には、前記リーダ・ライタ部の前記電波の放射を停止することを特徴とするものである。
【発明の効果】
【００１４】
本発明による無線タグ情報管理装置によれば、アンテナを備えるリーダ・ライタ部の交信領域内に収納部を設け、この収納部に収納される無線タグを取り付けた管理対象物に対し、その個数以内の交信回数で電波放射を終了する、或いはこの保管する管理対象物が無い場合は全く電波放射を行なわないように、リーダ・ライタ部の電波放射を電波制御部が制御するので、交信電波の無駄な放射を抑制し、電波放射を短時間に抑え、周囲環境への電波障害や装置の消費電力の抑制が図られた無線タグ情報管理装置を提供することが可能となる。
【発明を実施するための最良の形態】
【００１５】
以下、本発明の実施形態を図面により詳細に説明する。
【００１６】
（実施例１）
図１は、本発明の第１実施形態の概念と構成を示す図であり、同図の下段に無線タグに対する交信を打切るタイミングの発生方法が実行される無線タグ情報管理装置の構成図を示す。
【００１７】
本実施形態の情報管理対象は、例えば、識別される情報を個々に記録した無線タグ３ａ〜３ｎ、３ｓ’を有する書類ファイル１ａ〜１ｎ、１ｓ’であり、これ等が書類ファイルボックス１、或いは書類ファイル束として収納されている。無線タグ情報管理装置２（以後、情報管理装置２と略称する）は、書類ファイルボックス１の中にある無線タグ３ａ〜３ｎと交信するアンテナ１２を接続しているリーダ・ライタ部１１と、このリーダ・ライタ部１１の行なう電波放射による交信を制御する電波制御部１３と、情報管理装置２の全体を制御する情報管理・制御部１４と、後述する「収納数」を含む種々のデータを記録する記憶メモリ部１５と、情報管理対象の書類ファイル１ｓ’の出入りを監視管理する出入り管理出力部１６とから構成される。
【００１８】
次に本実施形態の作用、動作について説明する。本実施形態においては、出入り管理出力部１６により、アンテナとリーダ・ライタ部による交信領域内の管理対象物の保管収納場所に、例えば書類ファイルボックス１を設置して、この書類ファイルボックス１へ新たに追加して置かれる「入り」、或いは書類ファイルボックス１から抜き取って外部へ持ち出される「出し」を、書類ファイル１ｓ’の出入りとして確実に把握している。
【００１９】
書類ファイル１ｓ’の出入りの把握を確実に行なうためには、例えば、アンテナとリーダ・ライタ部による交信領域内の保管収納場所に設置した書類ファイルボックス１の直前に、「入り」及び「出し」の指定装置を備える。そして、書類ファイルボックス１にアクセスして書類ファイル１ｓ’を扱う時に、前記「入り」及び「出し」の何れかを必ず操作しなければ書類ファイルボックス１に到達できない例えば窓口を設け、「入り」及び「出し」の何れが操作されたかを判定する。或いは、例えば、書類ファイル１ｓ’の通過を２箇所で検知して、その検知順で「入り」または「出し」を判定する通過方向検知装置を設けるなどして判定し、把握するとしても良い。
【００２０】
出入り管理出力部１６により把握された「入り」或いは「出し」の情報は、情報管理装置２の全般の管理制御を行なう情報管理・制御部１４を経て、記憶メモリ部１５に記憶されている収納数である「総数」のデータ値を、「入り」では１つインクリメント、「出し」では１つデクリメントする。このデータ「総数」は、保管場所の書類ファイルボックス１に存在するファイル１ａ〜１ｎのその時点における保管収納総数を示す数値であり、対象の書類ファイルの「入り」或いは「出し」の毎に更新され、交信結果を記憶メモリ部１５の一部に保持して、情報管理装置２は待機の状態となる。
【００２１】
待機している情報管理装置２に、管理対象の個々に備えた無線タグ３ａ〜３ｎに記録した情報の検索・読出し、或いは新たな情報の補充・書込みが、指示されると、情報管理・制御部１４は、その指示内容と共に、記憶メモリ部１５の「総数」のデータ値を電波制御部１３に送信、連絡する。
【００２２】
この指示内容、及び「総数」のデータを受信した電波制御部１３は、先ずこの「総数」のデータ値が、電波制御部１３に設けたデータ「未処理数」メモリに書込まれる。次に、交信領域内に設けた保管収納場所の書類ファイルボックス１に収納される書類ファイル１ａ〜１ｎに備えた無線タグ３ａ〜３ｎに対し、アンテナ１２を介して放射する交信の電波信号となるこの指示に対するアクセス信号が、リーダ・ライタ部１１へ電波制御部１３から出力する。
【００２３】
さらに、リーダ・ライタ部１１は、この入力された無線タグに対するアクセス信号を交信電波信号に変換して、アンテナ１２を介して送受信する。書類ファイル１件分の交信が終了する毎に、電波制御部１３の「未処理数」のデータ値を１つデクリメントする。そして、引き続いて行う次の送受信の前に、電波制御部１３は、「未処理数」メモリのデータ値が「ゼロ」でないことを判別し、同指示に対する次のアクセス信号をリーダ・ライタ部１１へ再び出力する。
【００２４】
「未処理数」メモリの判定で、「ゼロ」となった場合には、電波制御部１３は、リーダ・ライタ部１１へのアクセス信号の出力を停止し、リーダ・ライタ部１１のアンテナ１２からの電波の放射を停止して、情報管理・制御部１４からの一連の指示に対する送受信の電波交信を終了し、情報管理装置２は元の待機の状態へ戻り、次のアクセス指示を待つ。
【００２５】
本実施形態によれば、情報管理の対象となる物品を、アンテナとリーダ・ライタ部による交信領域内に設けた保管場所に集積、収納し、ここに置かれた情報管理対象の数、すなわち処理すべき数（対象件数）の無線タグのみにアクセスする電波交信が行なわれ、過不足の無い交信が実施される。したがって、不要な電波の放射が無く、これにより、周囲環境への不要な電波放出を抑えて、さらには消費電力の抑制も図ることができる無線タグ情報管理装置を提供できる。また、上述の本実施形態の各構成が行なう処理の手順を実施することにより、不要な電波放出を抑えた無線タグ情報管理の方法を提供できることも明らかである。
【００２６】
なお、上述の実施形態では、出入り管理出力部１６により「入り」或いは「出し」の状況を確実に把握して、収納数である「総数」のデータ値を得て、これによりリーダ・ライタ部による電波交信を制御するものについて説明した。出入り管理出力部１６による「入り」或いは「出し」の状況把握を、例えば、適宜所在数量を確認する「棚卸し」のような検数を行い、その後次の検数が行なわれるまでの期間で、その検数結果とその期間の「入り」或いは「出し」の差分とに基づいて「総数」を得る方法によっても把握ができる。したがって、この方法を実施する手段を設けて、得た「総数」を上述の出入り管理出力部に替えて備える実施形態においても、上述と同様の効果を得ることができる。
【００２７】
（実施例２）
次に、本発明の他の実施形態について、図を用いて説明する。図２及び図３は本実施形態の概念と構成を示す模式図。
【００２８】
本実施形態のアンテナとリーダ・ライタ部による交信領域内の情報管理対象の保管場所には、例えば、図２に示すように、無線タグ３ａ〜３ｎを有する書類ファイル１ａ〜１ｎを収納するファイルバインダ４を備えている。このファイルバインダ４は、収納する書類ファイル１ａ〜１ｎの総収納数が予め定められる形態のファイルバインダ４で、例えば、書類ファイル１個を出し入れ可能な袋状のファイル収納体５ａ〜５ｎを所定の数量綴じ込んでバインダとしたものである。また他の例として、例えば、図３に示すように、無線タグ４３ａ〜４３ｎを貼着或いは取り付けた物品４１ａ〜４１ｎを収納する物品棚４４を備えている。この物品棚４４は、収納する物品４１ａ〜４１ｎの総収納数が、これに設けられている小棚４５ａ〜４５ｎのそれぞれに１個収納するとして予め定められる数の小棚により形態に構成された棚である。この場合も情報管理する対象の上限数が予め確定したもので、同様である。
【００２９】
このように、情報管理対象の取り扱いの上限数が予め定められている場合である本実施形態の無線タグ情報管理装置２ａ（以降、情報管理装置２ａと略称する）は、無線タグ３ａ〜３ｎ（４３ａ〜４３ｎ）と交信するアンテナ１２を接続しているリーダ・ライタ部１１と、このリーダ・ライタ部１１に接続している電波制御部１３と、情報管理装置２ａの全体を制御する情報管理・制御部１４と、種々のデータを記録する記憶メモリ部１５とから構成される。
【００３０】
さらに、アンテナ１２を接続しているリーダ・ライタ部１１による交信領域内に備えた保管場所への書類ファイル１ｓ’の出入り管理する出入り管理出力部１６ａが、収容最大数メモリ部１６１を備えて設けられる。この収容最大数メモリ部１６１には、本実施形態の保管場所に予め定められて設置されるファイルバインダ４或いは物品棚４４の所定の収容最大数が予め設定され、記憶される。
【００３１】
次に本実施形態の作用、動作について、情報管理装置２ａのアンテナ１２を接続しているリーダ・ライタ部からなる保管場所に、ファイルバインダ４を備えて行なわれる図３の構成図を用いて説明する。
【００３２】
本実施形態においては、出入り管理出力部１６ａにおいて、保管場所であるアンテナ１２を接続したリーダ・ライタ部１１の交信領域内に置いたファイルバインダ４へ、書類ファイル１ｓ’を新たに追加して置く、或いはこのファイルバインダ４から抜き取って外部へ持ち出す書類ファイル１ｓ’の出入りを、例えば、前述の第１実施形態の「入り」、「出し」の判定を同様に行なって、確実に把握する。すなわち、出入り管理出力部１６ａは、この書類ファイル１ｓ’の「出し」、「入り」の把握と共に、さらに、出入り管理出力部１６ａの最大数メモリ部１６１に予め設定してある当該ファイルバインダ４の収容最大数Ｎ以下の範囲で、書類ファイル１ｓ’が出し入れされるように、「入り」が収容最大数Ｎを超えて行われないように監視する。例えば、このような収容最大数Ｎを超える「入り」の場合には、当該ファイルバインダ４への収納が不可であることを周知させる警報の発報、或いは警告を表示するなどの処置を併せて行う。
【００３３】
なお、本実施形態の出入りを検知する方法は、例えば前述の実施形態の出入り管理部出力部１６と同様に行われるが、本実施形態においては、当該ファイルバインダ４に保留される書類ファイル１ａ〜１ｎの各時点の総数は、出入り管理部出力部１６に設けた収容最大数メモリ部１６１のデータと比較判定するが、情報管理装置２ａの何れの構成部へも、通信、連絡を行わない。したがって、収容最大数メモリ部１６１に予め設定してある当該ファイルバインダ４の収容最大数Ｎは、記憶メモリ部１５から一方的な通信で設定するか、マニュアルで出入り管理部出力部１６ａに直接設定される。
【００３４】
一方、情報管理装置２ａの記憶メモリ部１５には、ファイルバインダ４の収容最大数Ｎが、アンテナとリーダ・ライタ部による交信領域内の保管場所にこのファイルバインダ４を設置すると同時に、予め設定されて、記憶されている。なお、前述の出入り管理出力部１６ａの収容最大数メモリ部１６１に対し、この記憶メモリ部１５に予め設定してある当該ファイルバインダ４の収容最大数Ｎを、一方的な通信により設定される場合は、この記憶メモリ部１５に収容最大数Ｎが設定された時点に行われる。
【００３５】
このように、収容最大数Ｎが設定されて、待機している情報管理装置２ａに、ファイルバインダ４に収容される書類ファイル１ａ〜１ｎに関する情報問合せの要求・指示が行われる。この情報問合せの指示に対し、情報管理装置２ａの情報管理・制御部１４は、問合せに対応する指示内容と共に記憶メモリ部１５の収容最大数Ｎを、電波制御部１３に送信、連絡する。
【００３６】
この指示等を受信した電波制御部１３は、先ず、収容最大数「Ｎ」を電波制御部１３に備えるメモリ「未処理数」に数値データとして書込む。
【００３７】
次に、情報管理・制御部１４に指示された、ファイルバインダ４の書類ファイル１ａ〜１ｎの個々に備えた無線タグ３ａ〜３ｎに記録した情報の検索・読出し、或いは新たな情報の補充・書込みなどに対しては、これ等を電波制御部１３に送信、連絡する。そしてこの指示内容を受信した電波制御部１３は、先ずこのメモリ「未処理数」のデータ値が、「ゼロ」でないことを確認して、次に、アンテナ１２を介して放射する電波信号となるアクセス信号をリーダ・ライタ部１１へ出力する。
【００３８】
アクセス信号が入力されたリーダ・ライタ部１１は、接近しておかれたファイルバインダ４の書類ファイル１ａ〜１ｎの無線タグ３ａ〜３ｎに対するアクセスの信号を、アンテナ１２を介して電波交信を行って、その無線タグ３ａ〜３ｎの１つと交信する。そして、この１回分の問合せ／書込みの交信が終了する毎に、メモリ「未処理数」のデータ値を１デクリメントする。
【００３９】
引き続いて行う当該問合せ／書込みに対する次回のアクセス信号を入力する前に、電波制御部１３は、メモリ「未処理数」のデータ値が「ゼロ」でないことを判別し、当該問合せの指示のアクセス信号を再びリーダ・ライタ部１１へ出力し、無線タグ３ａ〜３ｎの他の１つと電波交信による送受信を再度行なう。一方、メモリ「未処理数」の判定で「ゼロ」となった場合には、リーダ・ライタ部１１へのアクセス信号の出力を中止して、アンテナ１２からの交信電波の放射を終了し、情報問合せの指示に対する一連の電波放射を終了して、次の指示が情報管理・制御部１４に出されるまで、情報管理装置２ａは待機状態となる。
【００４０】
すなわち、本実施形態では、当該問合せに対する指示のアクセスは、ファイルバインダ４に保管される可能性がある書類ファイル１ａ〜１ｎの収容最大数と同じＮ回まで、無線タグ３ａ〜３ｎに対する電波による交信をおこない、その後は次の新たな問合せがあるまで、電波の放出を停止し、待機する。
【００４１】
図３は、本実施形態の変形として、嵩張る物品４１ａ〜４１ｎを対象として、これ等を所定の数量（収容最大数「Ｎ」）を収納する物品棚４４において管理する場合に適用する構成の模式図を上段に示す。
【００４２】
物品４１には、この物品に関する情報データが、無線タグ４３のメモリ部に書き込まれ、記憶されて、貼着或いは結紮して取り付けてある。例えば配送の仕分けなど管理のために、これ等の物品４１ａ〜４１ｎを、物品棚４４の小棚４５ａ〜４５ｎそれぞれに物品４１が唯１個収納され、或いは棚から持ち出しをおこない、収容最大数Ｎ個の物品が収納できるものである。
【００４３】
このように、物品棚４４に置かれた物品４１ａ〜４１ｎのそれぞれに取り付けられた無線タグ４３ａ〜４３ｎに対して、上述したように情報管理装置２ａへ物品棚４４に収容される物品４１ａ〜４１ｎに関する情報問合せの指示が行われる。この情報問合せに対し、情報管理・制御部１４は、問合せに対応する指示内容と共に記憶メモリ部１５の収容最大数Ｎを、電波制御部１３に入力・連絡し、さらに、上述した手順により、当該問合せに対する指示のアクセス信号がリーダ・ライタ部１１に出力され、物品棚４４に保管される可能性がある物品４１ａ〜４１ｎの収容最大数と同じＮ回に亘って、無線タグ４３ａ〜４３ｎに対し電波による交信をおこない、その後は次の新たな問合せが情報管理・制御部１４から電波制御部１３経てリーダ・ライタ部１１に指示されるまで、電波の放出を停止し、待機する。
【００４４】
本実施形態によれば、アンテナを接続したリーダ・ライタ部に情報管理対象の最大数量Ｎが予め設定されている場合、或いは構成上で保管の許容数量に上限がある場合に、対象となる無線タグの数を超える不合理な交信を行なわないので、不要電波を放射することなく、且つ十分な情報管理が実施できる無線タグ情報管理装置を提供できる。また、本実施形態の各構成が行なう処理の手順を実施することにより、不要な電波放出を抑え、且つ十分な情報管理が実施できる無線タグ情報管理の方法を提供できることも明らかである。
【図面の簡単な説明】
【００４５】
【図１】本発明の実施形態の構成概念図。
【図２】本発明の他の実施形態の構成概念図。
【図３】本発明の他の実施形態を変形した構成概念図。
【符号の説明】
【００４６】
１・・・書類ファイルボックス、
１ａ〜１ｎ、１ｓ’・・・書類ファイル、
２、２ａ・・・情報管理装置、
３ａ、３ｓ’、４３ａ〜４３ｎ、４３ｓ’・・・無線タグ、
４・・・ファイルバインダ、
５ａ〜５ｎ・・・ファイル収納体、
１１・・・リーダ・ライタ本体、
１２・・・アンテナ、
１３・・・電波制御部、
１４・・・情報管理・制御部、
１５・・・記憶メモリ部、
１６、１６ａ・・出入り管理検知・出力部、
４１、４１ａ〜４１ｎ、４１ｓ’・・・物品、
４４・・・物品棚、
４５ａ〜４５ｎ・・・小棚、
１６１・・収容最大数メモリ部。
【図１】
0004758213.tif 000002
【図２】
0004758213.tif 000003
【図３】
0004758213.tif 000004